(57)【要約】【課題】縁材が基材パネルからはみ出すようなことがなく、仕上げの手間を不要にすることができる化粧パネルの製造方法を提供する。【解決手段】基材ブロック１の表面に、対向する二面以外の少なくとも一面の全面において縁材プレート２を接着して縁材付き基材ブロック３を作製する。次に縁材付き基材ブロック３を、基材ブロック１の上記対向する二面の少なくとも一方の面と平行に切断してスライスすることによって、基材ブロック１が切断された基材パネル４の端面に縁材プレート２が切断された縁材５が接着された板状の縁材付き基材パネル６を作製する。そしてこの縁材付き基材パネル６の切断面に化粧シート７を貼り付ける。縁材５の幅寸法は基材パネル４の厚み寸法と正確に同じ寸法に形成されるものであり、縁材５が基材パネル４からはみ出すようなことがなく、縁材５のはみ出し部を除去する仕上げの作業が不要になる。【選択図】図１
2008238478.tif 000002
【特許請求の範囲】
【請求項１】
基材ブロックの表面に、対向する二面以外の少なくとも一面の全面において縁材プレートを接着して縁材付き基材ブロックを作製し、縁材付き基材ブロックを、基材ブロックの上記対向する二面の少なくとも一方の面と平行に切断してスライスすることによって、基材ブロックが切断された基材パネルの端面に縁材プレートが切断された縁材が接着された板状の縁材付き基材パネルを作製し、この縁材付き基材パネルの切断面に化粧シートを貼り付けることを特徴とする化粧パネルの製造方法。
【請求項２】
縁材付き基材パネルに化粧シートを、基材パネルの表面から縁材の表面にかけて貼り付けることを特徴とする請求項１に記載の化粧パネルの製造方法。
【発明の詳細な説明】
【技術分野】
【０００１】
本発明は、扉、引前板、幕前板などとして使用される化粧パネルの製造方法に関するものである。
【背景技術】
【０００２】
扉、引前板、幕前板などとして使用される化粧パネルＡは、パーチクルボードやＭＤＦなどの基材パネル４の表面に表面化粧シート７を貼り付け、また基材パネル４の端面に縁材５を貼り付けて形成されており、その製造方法は特許文献１等において各種のものが提案されている。
【０００３】
図４（ａ）（ｂ）はこのような表面化粧シート７と縁材５で化粧した化粧パネルＡの製造の一例を示すものであり、パーチクルボードやＭＤＦなどの両面に表面化粧シート７を貼った大板を所定寸法に切断することによって、表面に化粧シート７を貼った基材パネル４を切り出し、この基材パネル４の各端面に縁材５を接着するようにしたものである。
【特許文献１】特開２０００−０２５０１３号公報
【発明の開示】
【発明が解決しようとする課題】
【０００４】
上記のように基材パネル４の端面に縁材５を接着して貼り付けるにあたって、基材パネル４は厚みのばらつきが大きく、このため図５（ａ）に示すように基材パネル４の表面に縁材５の端縁がはみ出すことがあり、縁材５のこのはみ出し部５ａを図５（ｂ）のように取り除く必要がある。そして、このように縁材５のはみ出し部５ａを除去する際に、表面の化粧シート７を傷つけると、耐浸漬性などの品質に問題が生じるために、縁材５のはみ出し部５ａの除去はカッターなどを用いた手作業で行なう必要があり、仕上げに手間を要することになるという問題を有するものであった。
【０００５】
本発明は上記の点に鑑みてなされたものであり、縁材が基材パネルからはみ出すようなことがなく、仕上げの手間を不要にすることができる化粧パネルの製造方法を提供することを目的とするものである。
【課題を解決するための手段】
【０００６】
本発明の請求項１に係る化粧パネルの製造方法は、基材ブロック１の表面に、対向する二面以外の少なくとも一面の全面において縁材プレート２を接着して縁材付き基材ブロック３を作製し、縁材付き基材ブロック３を、基材ブロック１の上記対向する二面の少なくとも一方の面と平行に切断してスライスすることによって、基材ブロック１が切断された基材パネル４の端面に縁材プレート２が切断された縁材５が接着された板状の縁材付き基材パネル６を作製し、この縁材付き基材パネル６の切断面に化粧シート７を貼り付けることを特徴とするものである。
【０００７】
この発明によれば、縁材プレート２を接着した縁材付き基材ブロック３を切断してスライスすることによって、縁材５が端面に貼り付けられた基材パネル４を得ることができるものであり、縁材５の幅寸法は基材パネル４の厚み寸法と正確に同じ寸法に形成されるものであって、縁材５が基材パネル４からはみ出すようなことがなく、縁材５のはみ出し部を除去する仕上げの作業が不要になるものである。
【０００８】
また請求項２の発明は、請求項１において、縁材付き基材パネル６に化粧シート７を、基材パネル４の表面から縁材５の表面にかけて貼り付けることを特徴とするものである。
【０００９】
この発明によれば、後付けで接着する化粧シート７によって基材パネル４と縁材５との間の接合部を隠すことができ、基材パネル４に縁材５を接着する接着剤が露出して外観を損ねることを防ぐことができるものである。
【発明の効果】
【００１０】
本発明によれば、縁材プレート２を接着した縁材付き基材ブロック３を切断してスライスすることによって、縁材５が端面に貼り付けられた基材パネル４を得ることができるものであり、縁材５の幅寸法は基材パネル４の厚み寸法と正確に同じ寸法に形成されるものであって、縁材５が基材パネル４からはみ出すようなことがなく、縁材５のはみ出し部を除去する仕上げの作業が不要になるものである。
【発明を実施するための最良の形態】
【００１１】
以下、本発明を実施するための最良の形態を説明する。
【００１２】
基材ブロック１はＭＤＦや木材の端材を集成した木質材料で、図１（ａ）のような長方形状に形成されるものであり、その短手側の対向する両面は、扉、引前板、幕前板などの面寸法とほぼ同じ寸法に形成してある。
【００１３】
そしてこの基材ブロック１の、短手側の対向する二面以外の表面に、縁材プレート２を接着して貼り付ける。縁材プレート２は、基材ブロック１の対向する二面以外の４面のうち少なくとも一面に貼り付けるものであり、図１（ｂ）の実施の形態では４面の総てに縁材プレート２を貼り付けるようにしてある。この縁材プレート２としてはＡＢＳ製のものなどを用いることができるものであり、基材ブロック１の各面の全面に亘ってホットメルト接着剤などで貼り付けるものである。このように基材ブロック１に縁材プレート２を貼り付けることによって、縁材付き基材ブロック３を作製することができる。
【００１４】
次に、この縁材付き基材ブロック３を図１（ｃ）のように丸鋸などの切断装置１１で切断してスライスする。縁材付き基材ブロック３の切断は、基材ブロック１の縁材プレート２を貼っていない上記の対向する二面と平行な面で行なわれるものであり、扉、引前板、幕前板などとほぼ同じ厚みでスライスするものである。このように縁材付き基材ブロック３を切断して板状にスライスすることによって、図１（ｄ）に示すような縁材付き基材パネル６を作製することができる。このようにして得られる縁材付き基材パネル６は、基材ブロック１を切断して得られる基材パネル４の四周の端面に、縁材プレート２を切断して得られる縁材５が貼り付けられたものである。ここで、基材パネル４と縁材５は、基材ブロック１に縁材プレート２を貼った縁材付き基材ブロック３を切断して得られるものであるので、基材パネル４の厚み寸法と縁材５の幅寸法は正確に一致しており、基材パネル４から縁材５がはみ出すことはない。従って、縁材５のはみ出し部をカッターで切断して除去するような仕上げの手間は不要になるものである。
【００１５】
次に必要に応じて、縁材５にＲトリミングや面取りなどの仕上げ加工を施す。図２や図３に縁材５の仕上げ加工の一例としてＲトリミングしたアール部１２を示す。
【００１６】
この後、縁材付き基材パネル６の切断面の片面あるいは両面に化粧シート７を接着して貼り付ける。化粧シートとしては、ポリエチレン（ＰＥ）シートやジアリルフタレート（ＤＡＰ）シートなどの樹脂シート、突き板、布、紙など任意のものを用いることができるものであり、ラッピングなどの工法で貼り付けることができるものである。このようにして、基材パネル４の端面に縁材５を貼り付けると共に基材パネル４の表面に化粧シート７を貼って形成される、図１（ｅ）のような化粧パネルＡを得ることができるものである。
【００１７】
ここで上記のように縁材付き基材パネル６に化粧シート７を貼り付けるにあたって、化粧パネル７は基材パネル４の全面に貼り付けるのは勿論、図２（ａ）（ｂ）に示すように基材パネル４の表面から縁材５の表面にかけて張るようにしてある。このように化粧シート７を基材パネル４の表面から縁材５の表面にかけて貼り付けることによって、縁材５よりも後付けで貼り付ける化粧シート７で基材パネル４と縁材５との間の接合部を隠すことができるものであり、基材パネル４に縁材５を接着する接着剤１３が露出して外観を損ねることを防ぐことができるものである。縁材５の表面に化粧シート７を貼り付ける範囲は、図２のように縁材５のアール部１２にまで化粧シート７が至らない範囲や、図３に示すようにアール部１２を超える範囲など、任意に設定することができる。縁材５の後付で化粧シート７を貼り付けるようにしているので、このように縁材５の表面の任意の範囲で化粧シート７を貼り付けることが可能になるものである。
【図面の簡単な説明】
【００１８】
【図１】本発明の実施の形態の一例を示すものであり、（ａ）乃至（ｅ）はそれぞれ各工程の斜視図である。
【図２】同上の化粧パネルの一例を示すものであり、（ａ）は一部の拡大した断面図、（ｂ）は一部の拡大した斜視図である。
【図３】同上の化粧パネルの他の一例を示す一部の拡大した斜視図である。
【図４】従来例を示すものであり、（ａ）は分解斜視図、（ｂ）は斜視図である。
【図５】従来例を示すものであり、（ａ）（ｂ）はそれぞれ一部の拡大断面図である。
【符号の説明】
【００１９】
１  基材ブロック
２  縁材プレート
３  縁材付き基材ブロック
４  基材パネル
５  縁材
６  縁材付き基材パネル
７  化粧シート
【図１】
2008238478.tif 000003
【図２】
2008238478.tif 000004
【図３】
2008238478.tif 000005
【図４】
2008238478.tif 000006
【図５】
2008238478.tif 000007